(57)【要約】【目的】難渋する大腸内視鏡の挿入手技をシースを自動移動式とする事で容易なものとし、回腸、腔腸までの挿入を可能とする。【構成】円筒状のシース１２の後方に後方バルーン８を取り付け、前方に前方バルーン２の付いた可動式リング１を取り付け、それぞれのバルーンは注入チューブ６、３にて空気、または液体を送り込む事で拡張し、陰圧で引く事で収縮する。可動式リング１と円筒状のシース１２の前後の動きは牽引糸７を巻き付けシャフト９に巻き付けるか可動式リング１の内側をボルトとしボルトネジ２３を回転させて行う。動力源は弾性に富む金属でできた連結シャフト１６を連結して伝えられる回転動力、又は内部モーター２５を用いる。大腸内視鏡ファイバーの先端にストッパーを設けシースをファイバーの先端より前方へ行かない様にする事でファイバーそのものを一緒に進める事が出来る移動式シースである。【選択図】図１
2006026343.tif 000002
【特許請求の範囲】
【請求項１】
円筒状のシース１２の後方に固定する形で後方バルーン８を取り付け、前方に前方バルーン２を取り付けた可動式リング１を取り付けたもので、それぞれのバルーンは注入チューブにて空気、もしくはオイル等の液体を送り込む事で拡張し、陰圧で引く事で収縮する事が可能である。前方バルーン２を拡張させて可動式リング１を腸管内に固定し、後方バルーン８を収縮させたままで連結シャフト１６によって伝えられる回転動力にてシースの後方部を前方に引き寄せ、次いで後方バルーン８を拡張し前方バルーン２を収縮させて連結シャフト１６を逆回転させ可動式リングを前方へ引き離す事をくりかえして奥へ、奥へと前進が可能なバルーン式の自動移動シースであり、大腸内視鏡ファイバーの先端にストッパーを設けシースを大腸内視鏡ファイバーの先端より前方へ行かない様にすることで大腸内視鏡ファイバーそのものを一緒に奥へ進める事が出来、内部構造は全て伸展カバー１５によって覆い、外部ギア１４にてピアノ線等の弾性に富む金属でできた連結シャフト１６を連結して行く事で、後方の連結シャフト１６の回転動力を先端へ伝えてゆく構造で、連結シャフト１６は外部ギヤ１４の部分も含めて連結シャフトカバー２１にて外部から遮断された移動式のシースである。
【請求項２】
可動式リング１の内側をボルトとしボルトネジ２３を回転させる事で可動式リング１と円筒状のシース１２の前後の動きを可能とした本案。
【請求項３】
動力源を連結シャフト１６の回転動力の代わりに内部モーターとした本案。
【請求項４】
動力源を連結シャフト１６の回転動力の代わりに内部モーターとし、可動式リング１の内側をボルトとしてボルトネジ２３を回転させる事で可動式リング１と円筒状のシース１２の前後の動きを可能とした本案。
【発明の詳細な説明】
【考案の詳細な説明】
【技術分野】
【０００１】この発明は、大腸内視鏡の挿入を容易にする自動移動式の大腸内視鏡シースに関するものである。
【背景技術】
【０００２】従来の大腸内視鏡シースは肛門部から直腸、Ｓ状結腸、下行結腸に固定し、Ｓ状結腸の屈曲、蛇行部を回避して大腸内視鋺ファイバーが撓む事無くスムーズに奥へ挿入できる様にしたものであり、シース事体が移動する物は無く、大腸内視鏡を奥へ進める機能は備わっていなかった。又、大腸内視鏡ファイバーの挿入は熟練の医師ですら時間を要し、患者に少なからず苦痛を強いるものとなっている。理由は大腸内視鏡ファイバーをある程度の力で外から押したり引っ張ったりしなければ奥へは進めない部位が少なからず存在するからであり、外から加える力が大腸内視鏡ファイバーの先端に伝えずらい事が原因となっている。近年ダブルバルーン式のファイバーが開発され小腸までの観察が可能となっているが、やはり外から押したり引っ張ったりする作業が主体であり、先端に力が伝えずらい状態は改善されておらず一般の大腸カメラ検査より遥かに長い時間と苦痛を患者に強いるものとなっている。
【発明が解決しようとする課題】
【０００３】この発明は難渋する大腸内視鏡の挿入手技を容易とすると井に、大腸内視鏡をそのまま使い、小腸の奥までの挿入を可能とする為に発案された物であり、シースを移動式とする事で大腸内視鏡ファイバーの腸管管腔への摩擦を軽減しながら撓みを減少させてファイバーの奥への挿入をより容易な状態とし、シースが大腸内視鏡ファイバーの先端より前に出ない様に大腸内視鏡ファイバーにストッパーを設けた場合、大腸内視鏡ファイバーをシースの前進に合わせ奥へ進めてゆく事が可能となった。これを以下図面にて説明する。
【課題を解決する為の手段】
【０００４】円筒状のシース１２に後方バルーン８を取り付け、可動式リング１に前方バルーン２を取り付け、それぞれのバルーンは後方バルーン注入チューブ６、前方バルーン注入チューブ３に連結されている、前方バルーン注入チューブ３は円筒状のシース１２に連結した前方バルーン注入チューブ移動管１７に通され前後に移動可能である。可動式リング１は内部シャフト１３の回転で内部ギア５の連結により巻き付けシャフト９が回転する事で、フック１０、１１に結び付けられフック４に通されて巻き付けシャフト９に巻き付けられた牽引糸７により前後に移動が可能となっている。牽引糸７は可動式リング１の牽引糸孔１９より前後に通してあり可動式リング１の前後の移動の支障になら無い様にしてある。これらの内部構造は全て伸展カバー１５によって覆われている。外部ギア１４にてピアノ線等の弾性に富む金属でできた連結シャフト１６を連結して行く事で、後方の連結シャフト１６の回転動力を先端へ伝える事ができる。連結シャフト１６は外部ギヤ１４の部分も含めて連結シャフトカバー２１にて外部から遮断されている。連結シャフト１６にて前後に同様のシースを連結してゆく事で前進の為の推進力を増す事が可能であり、又、本案のシースの後方にチューブ状の大腸内視鏡シースを連結させた場合はよりいっそう大腸ファイバーの摩擦を軽減し大腸ファイバーの前後の可動性を向上する事が可能である。
【発明を実施するための最良の形態】
【０００５】本発明はこの様な形態により伸展カバー１５、連結シャフトカバー２１、前方バルーン注入チューブ移動管１７にて内部を外部から完全に遮断した状態で清潔性に保つ事が出来、前後のバルーンは注入チューブにて空気、もしくはオイル等の液体を送り込む事で拡張し、陰圧で引く事で収縮する事が可能で、前方バルーン２を拡張させて可動式リングを腸管内に固定し、後方バルーン８を収縮させたままで連結シャフト１６によって伝えられる回転動力にて牽引糸７を巻き付けシャフト９に巻き付けて、シースの後方部を前方に引き寄せ、次いで後方バルーン８を拡張し前方バルーン２を収縮させて連結シャフト１６を逆回転させ牽引糸７を逆方向に巻き付けて可動式リング１を前方へ引き離す事をくりかえして円筒状のシース１２を奥へ、奥へと進める事が出来、円筒状のシース１２の前方方向に大腸内視鏡ファイバーに固定するリング状のストッパーを設けることで大腸内視鏡ファイバーを一緒に奥へ前進させる事ができる。又、ピアノ線等の弾性に富む金属で出来た連結シャフト１６にて前後に同様のシースを連結してゆく事で前進の為の推進力を増す事が可能である。さらに本案のシースの後方にチューブ状の大腸内視鏡シースを連結させた場合はよりいっそう大腸ファイバーの摩擦を軽減し大腸ファイバーの前後の可動性を向上する事が可能である。動力源を連結シャフト１６の回転動力ではなく内部モータ２５とした本案を図１１、図１２、図１３、図１４、図１５に示す。
可動式リング１をシースの後方部に引きつけたり、引き離しする運動を牽引糸７を用いる代わりに可動式リング１の内側を可動式リング内側ボルト２４としボルトネジ２３の回転で可能にした物が図６、図７、図８、図９、図１０に示した本案であり、加えて動力源を連結シャフト１６の回転動力ではなく内部モータ２５とした物を図１６、図１７、図１８、図１９、図２０に示す。図２１は本案の斜視図である。
【発明の効果】
【０００６】この様な構造であるから本案の移動式シースは難渋する大腸内視鏡ファイバーの挿入手技を容易とし、かつ大腸内視鏡ファイバーを用いそのまま回腸、腔腸までの挿入を可能にできる。又、内部は外部から完全に遮断された状態で清潔に保つ事が出来、大腸内視鏡ファイバーと同様に洗浄して使用する事が出来る。
【図面の簡単な説明】
【図１】カバー部分を断面とした本案内部の平面図。
【図２】可動式リング１の側面図。
【図３】可動式リング１の背面図。
【図４】円筒状のシース１２の側面図。
【図５】円筒状のシース１２の背面図。
【図６】カバー部分を断面としボルトネジ２３を用いた本案平面図。
【図７】ボルトネジ２３を用いた可動式リング１の側面図。
【図８】ボルトネジ２３を用いた可動式リング１の背面図。
【図９】ボルトネジ２３を用いた円筒状のシース１２の側面図。
【図１０】ボルトネジ２３を用いた円筒状のシース１２の背面図。
【図１１】カバー部分を断面とし動力源を内部モーター２５とした本案の平面図。
【図１２】動力源を内部モーター２５とした可動式リング１の側面図。
【図１３】動力源を内部モーター２５とした可動式リング１の背面図。
【図１４】動力源を内部モーター２５とした円筒状のシース１２の側面図。
【図１５】動力源を内部モーター２５とした円筒状のシース１２の背面図。
【図１６】カバー部分を断面としボルトネジ２３、内部モーター２５を用いた本案平面図。
【図１７】ボルトネジ２３、内部モーター２５を用いた可動式リング１側面図。
【図１８】ボルトネジ２３、内部モーター２５を用いた可動式リング１背面図。
【図１９】ボルトネジ２３、内部モーター２５を用いた円筒状のシース１２の側面図。
【図２０】ボルトネジ２３、内部モーター２５を用いた円筒状のシース１２の背面図。
【図２１】本案の斜視図。
【符号の説明】
１可動式リング
２前方バルーン
３前方バルーン注入チューブ
４固定フック
５内部ギヤ
６後方バルーン注入チューブ
７牽引糸
８後方バルーン
９巻き付けシャフト
１０リング前方フック
１１リング後方フック
１２円筒状のシース
１３内部シャフト
１４外部ギヤ
１５伸展カバー
１６連結シャフト
１７前方バルーン注入チューブ移動管
１８内部シャフト孔
１９牽引糸孔
２０後方バルーン注入管孔
２１連結シャフトカバー
２２ボルトネジ回転ギヤ
２３ボルトネジ
２４可動式リング内側ボルト
２５内部モーター
２６モーター配線
【図１】
2006026343.tif 000003
【図４】
2006026343.tif 000004
【図６】
2006026343.tif 000005
【図９】
2006026343.tif 000006
【図１１】
2006026343.tif 000007
【図１４】
2006026343.tif 000008
【図１６】
2006026343.tif 000009
【図１９】
2006026343.tif 000010
【図２１】
2006026343.tif 000011
【手続補正書】
【提出日】平成16年9月27日(2004.9.27)
【手続補正２】
【補正対象書類名】図面
【補正対象項目名】全図
【補正方法】変更
【補正の内容】
【図１】
2006026343.tif 000012
【図２】
2006026343.tif 000013
【図３】
2006026343.tif 000014
【図４】
2006026343.tif 000015
【図５】
2006026343.tif 000016
【図６】
2006026343.tif 000017
【図７】
2006026343.tif 000018
【図８】
2006026343.tif 000019
【図９】
2006026343.tif 000020
【図１０】
2006026343.tif 000021
【図１１】
2006026343.tif 000022
【図１２】
2006026343.tif 000023
【図１３】
2006026343.tif 000024
【図１４】
2006026343.tif 000025
【図１５】
2006026343.tif 000026
【図１６】
2006026343.tif 000027
【図１７】
2006026343.tif 000028
【図１８】
2006026343.tif 000029
【図１９】
2006026343.tif 000030
【図２０】
2006026343.tif 000031
【図２１】
2006026343.tif 000032